(57)【特許請求の範囲】
【請求項１】
おくるみ用ブランケットであって、前記おくるみ用ブランケットは、
中央区画であって、胴体部分および臀部部分を有する、中央区画と、
前記中央区画から第１の方向に延びる第１の腕用の翼状部と、
前記中央区画から第２の方向に延びる第２の腕用の翼状部と、
乳児の大腿部を持ち上げて分離することによって、使用時、前記乳児を人間工学的拡開蹲坐位置に促すように構成された臀部位置決めフラップと、
脚用の袋状部と
前記第１の翼状部上に配置された第１のポケットであって、前記第１のポケットは、前記第１のポケットの内側端に第１のポケット開口部を有し、前記第１のポケットは、第１の腕を受け取るように適合させられる、第１のポケットと、
前記第２の翼状部上に配置された第２のポケットであって、前記第２のポケットは、前記第２のポケットの内側端に第２のポケット開口部を有し、前記第２のポケットは、第２の腕を受け取るように適合させられる、第２のポケットと、
前記第１のポケット開口部に近接する第１の腕用のフラップであって、前記第１の腕用のフラップは、
第１の腕用のフラップの第１の部分であって、前記第１の腕用のフラップの第１の部分は、前記第１の腕が前記第１のポケット内に受け取られるとき、前記第１の腕が前記第１の腕用のフラップの第１の部分と前記第１の翼状部の正面との間を通過するように、前記第１の腕用の翼状部の前記正面に面した裏面を有する、第１の腕用のフラップの第１の部分と、
前記第１の部分から延びる第１の腕用の巻き付き部分であって、前記第１の腕用の巻き付き部分は、前記第１の腕が前記第１のポケット内に受け取られるとき、前記第１の腕の一部の下に挟み込むように適合させられる、第１の腕用の巻き付き部分と
をさらに備える、第１の腕用のフラップと、
前記第２のポケット開口部に近接する第２の腕用のフラップであって、前記第２の腕用のフラップは、
第２の腕用のフラップの第１の部分であって、前記第２の腕用のフラップの第１の部分は、前記第２の腕が前記第２のポケット内に受け取られるとき、前記第２の腕が前記第２の腕用のフラップの第１の部分と前記第２の翼状部の正面との間を通過するように、前記第２の腕用の翼状部の前記正面に面した裏面を有する、第２の腕用のフラップの第１の部分と、
前記第２の腕用のフラップの第１の部分から延びる第２の腕用の巻き付き部分であって、前記第２の腕用の巻き付き部分は、前記第２の腕が前記第２のポケット内に受け取られるとき、前記第２の腕の一部の下に挟み込むように適合させられる、第２の腕用の巻き付き部分と
を備える、第２の腕用のフラップと
を備える、おくるみ用ブランケット。
【請求項２】
前記第１の腕用の翼状部および前記第２の腕用の翼状部は、非対称である、請求項１に記載のおくるみ用ブランケット。
【請求項３】
前記第１の腕用の翼状部は、前記乳児の周りに巻き付くように適合させられ、前記第２の腕用の翼状部は、前記第１の腕を覆って巻き付き、かつ、前記おくるみ用ブランケットに固定するように適合させられる、請求項１に記載のおくるみ用ブランケット。
【請求項４】
おくるみ用ブランケットであって、前記おくるみ用ブランケットは、
乳児の胴体を受け取るための中央区画と、
前記中央区画から第１の方向に延びる第１の腕用の翼状部と、
前記中央区画から第２の方向に延びる第２の腕用の翼状部と、
前記第１の翼状部上に配置された第１のポケットであって、前記第１のポケットは、前記第１のポケットの内側端に第１のポケット開口部を有し、前記第１のポケットは、曲げられた腕の位置において、第１の腕を受け取るように適合させられる、第１のポケットと、
前記第２の翼状部上に配置された第２のポケットであって、前記第２のポケットは、前記第２のポケットの内側端に第２のポケット開口部を有し、前記第２のポケットは、曲げられた腕の位置において、第２の腕を受け取るように適合させられる、第２のポケットと、
前記第１のポケット開口部に近接する第１の腕用のフラップであって、前記第１の腕用のフラップは、
第１の腕用のフラップの第１の部分であって、前記第１の腕用のフラップの第１の部分は、前記第１の腕が前記第１のポケット内に受け取られるとき、前記第１の腕が前記第１の腕用のフラップの第１の部分と前記第１の翼状部の正面との間を通過するように、前記第１の腕用の翼状部の前記正面に面した裏面を有する、第１の腕用のフラップの第１の部分と、
前記第１の部分から延びる第１の腕用の巻き付き部分であって、前記第１の腕用の巻き付き部分は、前記第１の腕が前記第１のポケット内に受け取られるとき、前記第１の腕の一部の下に挟み込むように適合させられる、第１の腕用の巻き付き部分と
をさらに備える、第１の腕用のフラップと、
前記第２のポケット開口部に近接する第２の腕用のフラップであって、前記第２の腕用のフラップは、
第２の腕用のフラップの第１の部分であって、前記第２の腕用のフラップの第１の部分は、前記第２の腕が前記第２のポケット内に受け取られるとき、前記第２の腕が前記第２の腕用のフラップの第１の部分と前記第２の翼状部の正面との間を通過するように、前記第２の腕用の翼状部の前記正面に面した裏面を有する、第２の腕用のフラップの第１の部分と、
前記第２の腕用のフラップの第１の部分から延びる第２の腕用の巻き付き部分であって、前記第２の腕用の巻き付き部分は、前記第２の腕が前記第２のポケット内に受け取られるとき、前記第２の腕の一部の下に挟み込むように適合させられる、第２の腕用の巻き付き部分と
を備える、第２の腕用のフラップと
を備える、おくるみ用ブランケット。
【請求項５】
前記第１の腕用の翼状部は、前記乳児の周りに巻き付くように適合させられ、前記第２の腕用の翼状部は、前記第１の腕を覆って巻き付き、かつ、前記おくるみ用ブランケットに固定するように適合させられる、請求項４に記載のおくるみ用ブランケット。
【請求項６】
前記第２の腕用の翼状部は、前記第２の腕用の翼状部の先端に近接して位置する固定機構を備える、請求項４に記載のおくるみ用ブランケット。
【請求項７】
前記おくるみ用ブランケットは、
主要パネルと、
主要パネル正面に面した第１の二次パネル裏面を有する第１の二次パネルであって、前記第１の二次パネルは、前記主要パネルと協働して前記第１のポケットを形成する、第１の二次パネルと
をさらに備える、請求項４に記載のおくるみ用ブランケット。
【請求項８】
前記第１の二次パネルは、前記主要パネルと協働して前記第２のポケットを形成する、請求項７に記載のおくるみ用ブランケット。
【請求項９】
前記第１の腕用のフラップおよび前記第２の腕用のフラップは、前記第１の二次パネルの一部を構成する、請求項８に記載のおくるみ用ブランケット。
【請求項１０】
前記おくるみ用ブランケットは、第２の二次パネルをさらに備え、前記第２の二次パネルは、前記主要パネル正面に面した第２の二次パネル裏面を有し、前記第２の二次パネルは、前記主要パネルと協働して前記第２のポケットを形成する、請求項７に記載のおくるみ用ブランケット。
【請求項１１】
前記第１の腕用のフラップは、前記第１の二次パネルの一部を構成し、前記第２の腕用のフラップは、前記第２の二次パネルの一部を構成する、請求項１０に記載のおくるみ用ブランケット。
【請求項１２】
乳児の大腿部を持ち上げて分離することによって、使用時、前記乳児を人間工学的拡開蹲坐位置に促すように構成された臀部位置決めフラップをさらに備える、請求項４に記載のおくるみ用ブランケット。
【請求項１３】
脚用の袋状部をさらに備える、請求項４に記載のおくるみ用ブランケット。
【請求項１４】
前記臀部位置決めフラップは、前記第２の腕用の翼状部を固定することから独立して、前記第２の腕用の翼状部の裏に固定するように適合させられる、請求項１２に記載のおくるみ用ブランケット。
【請求項１５】
前記脚用の袋状部は、前記乳児の脚が露出されることを可能にするように構成される、請求項１３に記載のおくるみ用ブランケット。
【請求項１６】
前記臀部位置決めフラップは、前記乳児の大腿部に沿った部分について、前記乳児の臀部よりも広い、請求項１２に記載のおくるみ用ブランケット。
【請求項１７】
前記臀部位置決めフラップは、詰め物が増加しているエリアを備える、請求項１６に記載のおくるみ用ブランケット。
【請求項１８】
前記詰め物が増加しているエリアは、第１の大腿部接触エリア内の前記臀部位置決めフラップの第１の縁における詰め物が増加している第１のエリアと、第２の大腿部接触エリア内の前記臀部位置決めフラップの第２の縁における詰め物が増加している第２のエリアとを備える、請求項１７に記載のおくるみ用ブランケット。
【請求項１９】
乳児をくるむための方法であって、前記方法は、
前記乳児を、臀部部分および臀部位置決めフラップを有する一体型おくるみ用ブランケットの中央区画に位置決めすることであって、前記乳児の臀部は、臀部部分に対して位置決めされ、前記おくるみ用ブランケットは、第１の腕用の翼状部および第２の腕用の翼状部を有し、前記第１の腕用の翼状部は、前記中央区画から第１の方向に延び、前記第２の腕用の翼状部は、前記中央区画から第２の方向に延びる、ことと、
前記乳児の周りに前記第１の腕用の翼状部および前記第２の腕用の翼状部を巻き付けることと、
前記腕用の翼状部のうちの少なくとも１つを固定することにより、前記乳児の腕をくるむことと、
前記乳児の脚を通して、臀部位置決めフラップを前進させることにより、前記乳児の脚を所望の位置に付勢することと、
前記乳児の腕がくるまれた後、前記臀部位置決めフラップを固定することにより、前記乳児の脚を位置決めすることと
を含む、方法。
【請求項２０】
前記臀部位置決めフラップが固定された後、前記乳児の脚を袋状部で覆うことをさらに含む、請求項１９に記載の方法。
【請求項２１】
前記第１の腕用の翼状部および前記第２の腕用の翼状部を巻き付けることの前に、前記第１の腕用の翼状部のポケットの中に第１の腕を前進させ、前記第２の腕用の翼状部のポケットの中に第２の腕を前進させることと、
前記第１の腕用の翼状部および前記第２の腕用の翼状部を巻き付けることの前に、前記第１の腕の一部を第１の腕用のフラップで包み、前記第２の腕の一部を第２の腕用のフラップで包むことと
をさらに含む、請求項１９に記載の方法。
【請求項２２】
上部胴体をくるむことから独立して、前記臀部位置決めフラップを固定解除することと、
前記乳児の腕のおくるみから独立して、前記乳児の脚を露出させ、前記臀部位置決めフラップを固定解除すること
をさらに含む、請求項１９に記載の方法。
【請求項２３】
前記臀部位置決めフラップが、乳児の大腿部を持ち上げて分離することによって、使用時、前記乳児を人間工学的拡開蹲坐位置に促すように構成される、請求項１９に記載の方法。
【発明の詳細な説明】
【技術分野】
【０００１】
関連出願
本出願は、Ｄａｒｕｎｉ  Ｍ．  Ｇｏｔｅｌ，  Ｒｏｄｎｅｙ  Ｔｅｌｆｏｒｄ、および、Ｃａｒｏｌ  Ｊ．  Ｌｕｂｉｃｋによる米国仮特許出願第６１／６６０，４９７号（２０１２年６月１５日出願、発明の名称「ＥＲＧＯＮＯＭＩＣ  ＢＡＢＹ  ＳＷＡＤＤＬＩＮＧ  ＢＬＡＮＫＥＴ」）と、Ｄａｒｕｎｉ  Ｍ．  Ｇｏｔｅｌ，  Ｒｏｄｎｅｙ  Ｔｅｌｆｏｒｄ、および、Ｃａｒｏｌ  Ｊ．  Ｌｕｂｉｃｋによる米国特許仮出願第６１／７２８，４９３号（２０１２年１１月２０日出願、発明の名称「ＥＲＧＯＮＯＭＩＣ  ＢＡＢＹ  ＳＷＡＤＤＬＩＮＧ  ＢＬＡＮＫＥＴ」）とに対する３５  Ｕ．Ｓ．Ｃ．  １１９（ｅ）の下での優先権を主張し、それらの両方は、参照によって本明細書で完全に援用される。
【０００２】
実施形態は、乳児用のケア製品に関する。より具体的には、実施形態は、乳児をくるむためのおくるみ用ブランケットに関する。
【背景技術】
【０００３】
おくるみ用ブランケットは、乳児が安全および安心を感じる状態を保つ一方、乳児にぬくもりおよび保護を提供し、かつ世話を行う者にとって乳児をより管理しやすくするために使用される。乳児をくるむ従来の方法は、乳児を長方形のブランケットで包み、乳児の脚および腕を拘束することを伴う。乳児をくるむことは、誰にでもできることではない。乳児の腕が固定されていない、または適切に固定されていない場合、乳児は、驚愕反射を引き起こす、あるいは体をくねらせる、または別様にその腕を自由にさせ、乳児を目覚めさせ得る。加えて、世話を行う者は、長方形のブランケットを使用して、動いている乳児を正しくくるむのに苦労し得る。
【０００４】
容易にくるむことができるように、いくつかのおくるみ用デバイスが、開発されている。これらのデバイスの多くは、乳児の腕を乳児の側面に拘束し、乳児の脚をともに拘束し、および／または乳児の脚および腕を単一おくるみ内に拘束し、乳児の腕がおくるみから脱がされずに、乳児の脚を露出させる（例えば、おむつ交換、冷却のため）ことを困難にするという点において、類似欠点に悩まされる。
【０００５】
いくつかの従来のアプローチは、乳児の腕を不自然な位置において身体の側面または身体の背後に抑制する。そのような位置は、不快であって、かつ乳児を目覚めさせ得る。さらに、乳児の腕を身体の側面または背後に固定することは、乳児がその腕を自由にすることができない（同様に、乳児を不快にさせ得る）ことを保証するものではない。加えて、従来のおくるみ用ブランケットを使用して、乳児の腕をその側面に拘束するために使用される技法は、乳児の脚が抑制され、完全に広げることができない結果をもたらし得る。
【０００６】
乳児の腕の固定に加え、くるむ技法は、乳児の脚も同様に固定することを伴い得る。例えば、乳児の脚をくるむアプローチは、脚をともにブランケット内に包み、バッグ、包み、または同等物の内側に脚を置くことを伴い得る。しかしながら、そのようなアプローチは、乳児の臀部および脚を適切な人間工学的拡開位置に保つことを助長せず、むしろ、多くの場合、乳児の臀部および膝を伸展位置に保ち、股関節形成不全および股関節脱臼のリスクを増加させ得る。
【０００７】
さらに、多くの現在のおくるみデバイスでは、脚および腕がともに取り扱われるため、上半身を緩めずに、下半身をおくるみから脱がすことができない。その結果、おむつ交換および同等物は、乳児を再度完全にくるむことを要求し得る。
【発明の概要】
【課題を解決するための手段】
【０００８】
おくるみ用ブランケットの実施形態は、乳児または小児に安心感および快適性を提供する一方、乳児の大腿部および臀部のための人間工学的位置決めを提供し、乳児の腕を所望の位置に固定するように構成されてもよい。いくつかの実施形態によると、腕は、適切な臀部および脚の位置決めを提供するステップから独立してくるまれることができる。さらに、下半身は、適切な臀部および脚の位置決めを提供し、乳児の胴体をくるむステップから独立して覆われることができる。
【０００９】
おくるみ用ブランケットの１つの実施形態は、胴体部分および臀部を有する中央区画および／または位置決め区画と、中央区画から第１の方向に延びる第１の腕用の翼状部と、中央区画から第２の方向に延びる第２の腕用の翼状部と、臀部区画から延び、乳児の大腿部を持ち上げて分離することによって、使用時、乳児を人間工学的位置に促すように構成された臀部位置決めフラップとを含む。おくるみ用ブランケットはまた、乳児の脚を覆うための脚用の袋状部を含んでもよい。
【００１０】
第１の腕用の翼状部は、乳児に巻き付くように適合させられることができ、第２の腕用の翼状部は、第１の腕用の翼状部を覆って包むように適合させられることができる。第２の腕用の翼状部は、おくるみ用ブランケットの裏に固定するための固定機構を含んでもよい。臀部フラップは、臀部フラップがおくるみ用ブランケットに固定されることを可能にするための固定機構を含んでもよい。１つの実施形態によると、臀部位置決めフラップは、第２の腕用の翼状部を固定することから独立して、第２の腕用の翼状部の裏に固定するように適合させられることができる。
【００１１】
臀部位置決めフラップは、乳児の大腿部の一部に沿って、乳児の臀部より広く、乳児の脚間に巻き付くように適合させられ得る、部分を含んでもよい。例えば、臀部位置決めフラップは、第２の翼状部の裏面に固定してもよい。臀部位置決めフラップは、詰め物が増加しているエリアを備えてもよい。一例として、臀部位置決めフラップは、第１の大腿部接触エリア内の臀部位置決めフラップの第１の縁における詰め物が増加している第１のエリアと、第２の大腿部接触エリア内の臀部位置決めフラップの第２の縁における詰め物が増加している第２のエリアとを備えてもよい。
【００１２】
臀部位置決めフラップまたは他の位置決め装置は、乳児の脚を人間工学的「カエル脚」位置等の所望の人間工学的拡開蹲坐位置に保ち、健康な臀部発達を冗長するように適合させられることができる。さらに、乳児の脚は、まっすぐに固定される、またはともに圧迫されない位置にあることができ、乳児がだっこひもまたは類似製品の中に固定されることを可能にし、股関節形成不全または股関節脱臼のリスクを防止あるいは少なくとも低減させ得る。臀部位置決めフラップは、腕から独立して固定解除され、より容易なおむつ交換を可能にし得る。
【００１３】
おくるみ用ブランケットは、脚用の袋状部を含んでもよい。１つの実施形態によると、脚用の袋状部は、おくるみ用ブランケットの裏面に継合されてもよい。袋状部は、臀部フラップが固定解除された（下方位置）にあるとき、袋状部への開口部が閉塞されるが、臀部フラップが固定された位置にあるとき、アクセス可能である場所に取着される。袋状部は、乳児の脚を受け取るように適合させられることができる。脚用の袋状部は、乳児の脚が、腕用のおくるみの完全性を低減することなく、露出されることを可能にするように構成されることができる。
【００１４】
おくるみ用ブランケットは、第１の翼状部上に配置された第１のポケットと、第２の翼状部上に配置された第２のポケットとを含んでもよい。第１のポケットは、第１のポケットの内側端に第１のポケット開口部を有してもよく、第２のポケットは、第２のポケットの内側端に第２のポケット開口部を有してもよい。第１のポケットは、第１の腕を受け取るように適合させられ、第２のポケットは、第２の腕を受け取るように適合させられることができる。１つの実施形態によると、第１および第２のポケットは、幼児が、右拳が乳児の右側に固定され、左拳が乳児の左側に固定された状態で誕生するとき、乳児の拳が乳児の胸部上に静置し、「心臓に手を置いた」位置を可能にするように位置決めされることができる。乳児がより大きく成長するにつれて、実施形態は、乳児が、完全に腕用のポケットの中に進め、その腕を腕用の袖の長さの内側に完全に伸展させることを可能にする。腕用の翼状部が閉鎖されるように折り畳まれると、第２の腕は、第１の腕の直上に位置決めされ、両腕は、「抱擁」位置に胸部を覆って／それを交差して折り重ねられる。言い換えると、腕は、相互に重なるように位置決めされない。代わりに、一方の腕が、他方の上方に静置する。
【００１５】
おくるみ用ブランケットはまた、第１のポケット開口部に近接する第１の腕用のフラップと、第２のポケット開口部に近接する第２の腕用のフラップとを含んでもよい。第１の腕用のフラップは、第１の腕が第１のポケット内に受け取られるとき、第１の腕が第１の腕用のフラップの第１の部分と第１の翼状部の正面との間を通過するように、第１の腕用の翼状部の正面に面した裏面を有する、第１の腕用のフラップの第１の部分を含むことができる。第１の腕用のフラップはまた、第１の腕用のフラップの第１の部分から延びる第１の腕用の巻き付き部分であって、第１の腕が第１のポケット内に受け取られると、第１の腕の一部の下に挟み込むように適合させられる、第１の腕用の巻き付き部分を含んでもよい。第１の腕用の巻き付き部分は、第１のポケットの遠位端に向かって上向きに第１の腕に優しい力を提供するように適合させられてもよい。
【００１６】
おくるみ用ブランケットはまた、第２のポケット開口部に近接する第２の腕用のフラップを含んでもよい。第２の腕用のフラップは、第２の腕が第２のポケット内に受け取られるとき、第２の腕が第２の腕用のフラップの第１の部分と第２の翼状部の正面との間を通過するように、第２の腕用の翼状部の正面に面した裏面を有する、第２の腕用のフラップの第１の部分を含むことができる。第２の腕用のフラップはまた、第２の腕用のフラップの第１の部分から延びる第２の腕用の巻き付き部分を含んでもよい。第２の腕用の巻き付き部分は、第２の腕が第２のポケット内に受け取られると、第２の腕の一部の下に挟み込むように適合させられることができる。第２の腕用の巻き付き部分は、第２のポケットの遠位端に向かって上向きに第２の腕に優しい力を提供するように適合させられてもよい。１つの実施形態によると、第１および第２の腕用のフラップの腕用の巻き付き部分は、乳児の腕の下に挟み込み、少なくとも部分的に、肘の上方の乳児の腕の一部を包む。
【００１７】
第１の二次パネルが提供されることができ、第１の二次パネルは、主要パネル正面に面した第１の二次パネル裏面を有する。第１の二次パネルは、主要パネルと協働して第１のポケットを形成してもよい。第１の二次パネルはまた、主要パネルと協働して第２のポケットを形成してもよい。第１の腕用のフラップおよび第２の腕用のフラップは、第１の二次パネルの一部を構成してもよい。
【００１８】
第２の二次パネルが提供されてもよく、第２の二次パネル裏面は、主要パネル正面に面する。第２の二次パネルは、主要パネルと協働して第２のポケットを形成してもよい。第１の腕用のフラップは、第１の二次パネルの一部を構成してもよく、第２の腕用のフラップは、第２の二次パネルの一部を構成してもよい。
【００１９】
いくつかの実施形態は、乳児の腕が、脚から独立して、個々に位置決めされ、固定されることを可能にする。乳児の腕は、腕用のポケット内に個々に位置決めされることができる。腕用のポケットは、乳児の腕が、胎児の腕位置を模倣するような所望の配向に固定されることを確実にすることができる。腕用のポケットの利点はまた、乳児の下で緩む、または襞になり、乳児を不自然な位置に強要し得る過剰な布地が全くまたは殆どないことであり得る。
【００２０】
本明細書に開示される実施形態は、乳児が覆われ、安全にすることが可能な人間工学的おくるみ用ブランケットを提供する。実施形態は、乳児が未だ子宮の中にいたときの位置を模倣する位置／構成において腕を定位置に優しく固定する、構造化された袖／ポケットを提供する。乳児の腕は、種々の曲げられた腕位置に位置決めされることができる。実施形態はまた、自然な脚の移動を可能にする（脚をともに拘束するのではなく）臀部位置決めを提供する。
【００２１】
１つの実施形態は、乳児をくるむための方法を含んでもよく、本方法は、乳児をおくるみ用ブランケット内に位置決めするステップを含み、乳児の臀部は、臀部部分に対して位置決めされ、おくるみ用ブランケットは、第１の腕用の翼状部および第２の腕用の翼状部を有する。第１の腕用の翼状部は、中央区画から第１の方向に延びてもよく、第２の腕用の翼状部は、中央区画から第２の方向に延びてもよい。
【００２２】
本方法はさらに、乳児の周りに第１の腕用の翼状部および第２の腕用の翼状部を巻き付けるステップと、腕用の翼状部のうちの少なくとも１つを固定し、乳児の腕をくるむステップとを含んでもよい。本方法はさらに、乳児の脚を通して、臀部位置決めフラップを前進させ、乳児の脚を所望の位置に付勢するステップと、乳児の腕がくるまれた後、臀部位置決めフラップを固定し、乳児の脚を位置決めするステップとを含んでもよい。本方法はさらに、臀部位置決めフラップが固定された後、乳児の脚を袋状部で覆うステップを含んでもよい。ある場合には、乳児の脚は、乳児の腕のおくるみが固定解除されることなく、露出され、臀部位置決めフラップが固定解除され得る。
【００２３】
いくつかの実施形態では、第１の腕用の翼状部および第２の腕用の翼状部を巻き付けるステップに先立って、第１の腕は、第１の腕用の翼状部の第１のポケットの中に前進されてもよく、第２の腕は、第２の腕用の翼状部の第２のポケットの中に前進されてもよい。第１の腕用の翼状部および第２の腕用の翼状部を巻き付けるステップに先立って、第１の腕の一部は、第１の腕用のフラップで包まれ、第２の腕の一部は、第２の腕用のフラップで包まれてもよい。
【００２４】
１つの実施形態によると、腕用の翼状部のうちの少なくとも１つを固定するステップは、第１の腕用の翼状部上の第１の固定機構をおくるみ用ブランケットの胴体部分上の第２の固定機構に固定するステップを含むことができる。また、第２の腕用の翼状部上の第３の固定機構を人間工学的おくるみ用ブランケット上の第４の固定機構に固定するステップを含んでもよい。第４の固定機構は、胴体部分またはその他の場所にあってもよい。臀部位置決めフラップを固定するステップは、臀部位置決めフラップを腕用の翼状部の一方に固定するステップを含んでもよい。
【００２５】
本方法はさらに、乳児の頭部をおくるみ用ブランケットの中央区画と一体型のフード内に位置決めするステップを含んでもよい。フードは、少なくとも部分的に、同様に、第１および第２のポケットのうちの１つ以上の一部を形成する、二次パネルによって形成されてもよい。第１の腕用の翼状部を乳児の周りに巻き付け、第２の腕用の翼状部を乳児の周りに巻き付けるステップは、乳児の首近傍の間隙を減少させ得る。
【００２６】
実施形態は、独立するが、一体型設計において、（ｉ）腕／胴体の固定と、（ｉｉ）脚および臀部の適切な位置決めとを可能にすることによって、利点を提供する。実施形態はさらに、乳児の脚を一体型ブランケット内に独立して覆うことを可能にしてもよい。
【図面の簡単な説明】
【００２７】
本開示およびその利点のより完全な理解のために、ここで、付随の図面（類似参照番号は、類似特徴を示す）と関連して検討される、以下の説明を参照する。
【００２８】
【図１】図１は、人間工学的おくるみ用ブランケットの１つの実施形態の正面図を描写する。
【００２９】
【図２】図２は、人間工学的おくるみ用ブランケットの１つの実施形態の背面図を描写する。
【００３０】
【図３】図３は、臀部フラップが立ち上げられた人間工学的おくるみ用ブランケットの別の図を図示する。
【００３１】
【図４】図４は、人間工学的おくるみ用ブランケットの別の実施形態の正面図を描写する。
【００３２】
【図５】図５および６は、異なる腕位置を図示する、おくるみ用ブランケットの実施形態の図を描写する。
【図６】図５および６は、異なる腕位置を図示する、おくるみ用ブランケットの実施形態の図を描写する。
【００３３】
【図７】図７は、いくつかの例示的寸法の範囲を図示する、おくるみ用ブランケットの１つの実施形態の正面図を描写する。
【００３４】
【図８】図８は、チョウ形状における人間工学的おくるみ用ブランケットの１つの実施形態の正面図を描写する。
【００３５】
【図９】図９および１０は、開放および閉鎖構成における人間工学的おくるみ用ブランケットの１つの実施形態の正面図を描写する。
【図１０】図９および１０は、開放および閉鎖構成における人間工学的おくるみ用ブランケットの１つの実施形態の正面図を描写する。
【００３６】
【図１１】図１１は、人間工学的おくるみ用ブランケットの１つの実施形態を使用して、乳児をくるむためのプロセスの種々の段階を描写する。
【発明を実施するための形態】
【００３７】
システムおよび方法ならびにその種々の特徴および有利な詳細が、付随の図面に図示され、以下の説明に詳述される、非限定的実施形態をより完全に参照して説明される。周知の開始材料、処理技法、構成要素、および機器の説明は、詳細な説明を不必要に曖昧にしないように省略される。しかしながら、発明を実施するための形態および具体的実施例は、好ましい実施形態を示すが、限定としてではなく、例証として与えられるにすぎないことを理解されたい。本発明の根本概念の精神および／または範囲内にある種々の代用、修正、追加、および／または再配列は、本開示から、当業者に明白となるであろう。
【００３８】
本明細書で使用されるように、用語「ｃｏｍｐｒｉｓｅｓ（備える）」、「ｃｏｍｐｒｉｓｉｎｇ（備える）」、「ｉｎｃｌｕｄｅｓ（含む）」、「ｉｎｃｌｕｄｉｎｇ（含む）」、「ｈａｓ（有する）」、「ｈａｖｉｎｇ（有する）」、またはその任意の他の変形例は、非排他的含有を網羅することが意図される。例えば、要素のリストを備える、プロセス、物品、または装置は、必ずしも、それらの要素のみに限定されず、明示的にリストされていない、あるいはそのようなプロセス、物品、または装置に固有の他の要素を含んでもよい。さらに、そうではないことが明示的に述べられない限り、「ｏｒ（または）」は、排他的「ｏｒ」ではなく、包含的「ｏｒ」を指す。例えば、条件ＡまたはＢは、以下のうちの任意の１つによって充足される：Ａは、真（または、存在）であって、Ｂは、偽（または、不在）である、Ａは、偽（または、不在）であって、Ｂは、真（または、存在）である、ならびにＡおよびＢの両方が、真の（または、存在）である。
【００３９】
加えて、本明細書に与えられる任意の実施例または例証は、いかようにも、それらがともに利用される任意の用語または複数の用語の制限、限定、またはその定義を表現するものとして、見なされない。代わりに、これらの実施例または例証は、ある特定の実施形態に関して説明されており、例証にすぎないものと見なされるべきである。当業者は、これらの実施例または例証とともに利用される任意の用語または複数の用語が、それとともに、または明細書のいずれかに与えられ得る、あるいは与えられない場合もある、他の実施形態を包含し、全てのそのような実施形態が、その用語または複数の用語の範囲内に含まれることが意図されることを理解するであろう。そのような非限定的実施例および例証を指定する用語として、「ｆｏｒ  ｅｘａｍｐｌｅ（例えば）」、「ｆｏｒ  ｉｎｓｔａｎｃｅ（例えば）」、「ｅ．ｇ．（例えば）」、「ｉｎ  ｏｎｅ  ｅｍｂｏｄｉｍｅｎｔ（１つの実施形態では）」が挙げられるが、それらに限定されない。
【００４０】
おくるみにくるむことは、乳児の四肢の移動が制限されるが、必ずしも、排除されないように、ブランケット内に乳児を包むという実践である。本明細書に説明される実施形態は、子供をくるみ、乳児がしっかりと包まれることを可能にするための人間工学的ブランケットを提供する。おくるみ用ブランケットは、「一体型であるが、別個」の設計を有することができ、一体型ブランケットが、脚を覆い、適切な臀部位置決めを提供することを含め、腕／胴体および下半身を別個にくるむことを可能にする。親または世話を行う者は、おくるみ用ブランケット全体を緩め、おむつを交換したり、乳児の体温を確認したり等をする必要はない。代わりに、親または世話を行う者は、乳児の腕または脚あるいはおむつにアクセスするために必要とされるおくるみ用ブランケットの部分のみ緩めることが可能である。
【００４１】
腕用のポケットは、乳児の腕が種々の曲げられた腕位置に固定されることを可能にするように提供されてもよい。おくるみ用ブランケットは、上腕の周囲または乳児の腕の肘の上方に巻き付き、腕をポケット内に維持し、曲げられた腕位置を助長する、腕用のポケットの開口部に近接して巻き付き部分を含むことができる。
【００４２】
臀部位置決め装置もまた、「拡開蹲坐」、「蹲坐拡開」、「カエル脚」、または「カエル」位置等、自然な人間工学的臀部位置に乳児の臀部、大腿部、または脚を促すように構成されるように提供されてもよい。拡開蹲坐位置（また、「カエル脚」、「カエル」、または「蹲坐拡開」位置としても知られる）では、股関節における屈曲は、冠状面から少なくとも９０°、好ましくは、約１１０°〜１２０°であって、拡開角度は、正中面から平均３５〜５５°であるべきである。これは、大腿骨頭を股関節窩または臼蓋窩内に正しく位置決めする。（股関節窩は、腸骨の関節面である。）新生児の場合、拡開は、必要なく、臀部屈曲の助長で十分である（内転および外転を低減する）。
【００４３】
図１および２は、おくるみ用ブランケット１００の１つの実施形態の正面および背面を図示する。おくるみ用ブランケット１００は、中央区画１１２と、第１の腕用の翼状部１１４と、第２の腕用の翼状部１１６とを有する、主要パネル１１０を含むことができる。主要パネル１１０は、ともに縫着または別様に継合される布地材料の１つ以上のサブパネルから形成されることができ、材料の１つ以上の層を構成してもよい。
【００４４】
中央区画１１２は、乳児の頭部が静置する頭部部分１１８と、乳児の身体を支持する胴体部分１２０と、乳児の臀部を受け取り、乳児の脚間に交差し、乳児の臀部および大腿部を位置決めする、臀部位置決めフラップ１２４を含む、臀部部分１２２とを有する、主要受け取り面積を提供する。第１の腕用の翼状部１１４および第２の腕用の翼状部１１６は、中央区画１１２から側方に外向きに延びる。翼状部１１４および１１６は、非対称または対称であってもよい。いくつかの実施形態では、翼状部１１４および１１６の形状または寸法は、相補的であってもよい。相補的形状または寸法を有する翼状部１１４および１１６は、容量を増やす、または乳児にとって不快となり得る、付加的材料を伴わずに、所望の人間工学的位置決めを提供し得る。腕用のポケット１６０は、翼状部１１４または１１６上に配置されることができる。翼状部１１４および１１６は、身体に近接して乳児の胸部を交差して巻き付き、乳児の手をその胸部または別の位置に置いた状態で乳児の腕を優しく固定する。この腕の位置は、乳児に安心感を与える。しっかりとした位置決めはまた、新生児の「驚愕反射」を止め、乳児がその顔を引っ掻くことがないように防止するのに役立つ。
【００４５】
好ましくは、腕用の翼状部１１４または１１６のうちの少なくとも１つは、乳児の胸部を交差して、かつ乳児の背中の周りに巻き付くために十分に長い。図示される実施形態によると、例えば、第１の腕用の翼状部１１４は、乳児の身体を交差して巻き付くことができる。第２の腕用の翼状部１１６は、第１の腕用の翼状部１１４を覆って、乳児の身体の裏まで巻き付くことができる。面ファスナ（ｈｏｏｋ  ａｎｄ  ｌｏｏｐ）材料等の固定機構１１５は、主要パネル１１０の裏の対応する固定機構１１７に固定され、第２の腕用の翼状部１１６を固定する。固定機構１１５／１１７はまた、ボタン、ひも、スナップ、または他の機構を含むことができる。一方のみの翼状部１１６が、図１の実施形態では、固定機構１１５を含むが、固定機構１１５は、所望に応じて、翼状部１１４および１１６の両方を固定するために使用されてもよい。第１の腕用の翼状部１１４は、第２の腕用の翼状部１１６より比較的に狭く、第１の腕用の翼状部１１４を第２の腕用の翼状部１１６の下に巻き付けることを容易にすることができることに留意されたい。第１の腕用の翼状部１１４は、左腕用の翼状部として図示され、第２の腕用の翼状部１１６は、右腕用の翼状部として図示されるが、翼状部は、反転または別様に構成されてもよいことに留意されたい。
【００４６】
主要パネル１１０に加え、１つ以上の材料の部品から形成される１つ以上の付加的パネルは、主要パネル１１０に継合され、おくるみ用ブランケット１００を形成してもよい。例えば、図１の実施形態では、外側縁１４２および内側縁１４４を有する二次パネル１４０が、主要パネル１１０に継合される。二次パネル１４０の裏面は、主要パネル１１０の正面に面する。１つの実施形態によると、ポケット１６０は、二次パネル１４０と主要パネル１１０との間に形成されることができる。
【００４７】
二次パネル１４０の外側縁１４２の全部または一部は、主要パネル１１０の外側縁１１１の一部に近接する主要パネル１１０に縫合または別様に継合されることができる。いくつかの実施形態では、二次パネル１４０の内側縁１４４は、統合されたフード１６５の裏側縁を形成するために、主要パネルの外側縁１１１から、翼状部１１４および１１６に沿って、内向きに主要パネル１１０に縫合され、第１および第２の腕用のポケット１６０の上縁を形成することができる。１つの実施形態によると、図２において可視である単一連続縫目１７３は、フード裏側縁および各腕用のポケット１６０の上腕用のポケット縁を形成することができる。
【００４８】
二次パネル１４０の連続内側縁１４４は、第１の部分および第２の部分において、主要パネル１１０に継合され、翼状部１１４および１１６と協働する腕用のポケット１６０を形成することができる。乳児の腕は、二次パネル１４０および主要パネル１１０の一部を形成するポケット間のポケット１６０内に受け取られることができる。１つの実施形態によると、腕用のポケット１６０は、翼状部１１４および１１６の距離または幅全体に延びず、翼状部１１４および１１６より短く、かつ狭い。好ましくは、ポケット１６０のサイズおよび構成は、乳児の腕の移動を最小限にするように選択される。各ポケット１６０は、内側端（乳児の胴体により近い端部）で開放され、外側端（乳児胴体から離れた端部）で閉鎖される。図１に示される実施形態では、例えば、ポケット１６０は、主要パネル１１０の外側縁および二次パネル１４０の縁１４２が継合される場合、閉鎖される。他の実施形態では、ポケットは、両端で開放されてもよい。
【００４９】
乳児をくるむ問題の１つは、その腕が自由になるように「飛び出す」可能性である。腕が自由になる場合、乳児は、驚いて目を覚ましたり、自らを引っ掻いたり等をし得る。乳児の腕が自由にならないように防止するために、腕は、ポケット１６０内に維持されてもよい。腕用のポケット１６０の利点は、乳児の腕が、おくるみ用ブランケットを過度に緊締することなく、固定されることであり得る。
【００５０】
いくつかの実施形態では、腕用のフラップが、提供されることができる。この目的を達成するために、二次パネル１４０は、腕用のポケット１６０の開口部に近接して位置する、腕用のフラップ部分１７０を含むことができる。腕用のフラップ部分１７０は、乳児の腕をよりしっかりと保持するために使用されることができ、ポケット１６０内において、各腕の下に挿入され、乳児の腕（または、乳児の腕の大部分）を覆うことができる。各腕用のフラップは、乳児の腕が腕用のフラップの裏面と主要パネルの正面との間を通過する、第１の部分と、乳児の腕の一部の下に挟み込まれる腕用の巻き付き部分とを有してもよい。
【００５１】
１つの実施形態によると、腕用のフラップ１７０は、ポケットからブランケットの中心に向かって、乳児の腕が対応する腕用のポケット１６０内に挿入されるとき、乳児の腕に対して略垂直（または、他の角度）となるであろう方向に、二次パネル１４０の材料を延ばすことによって形成されることができる。図示される実施形態では、腕用のフラップ１７０は、略下向きに、腕用のポケット開口部に近接するおくるみ用ブランケット１００の中線に向かって延びる。腕用のフラップ部分１７０は、乳児の腕の一部の下に挟み込まれる腕用の巻き付き部分を提供するために十分な長さであることができる。
【００５２】
作業時、乳児の腕の一部は、腕用のポケット１６０内に受け取られ、その部分は、腕用のフラップ１７０と主要パネル１１０との間に静置するであろう。腕用のフラップ１７０の残りは、腕用のフラップ１７０が、少なくとも部分的に、乳児の腕の上側部分を包むように、乳児の腕の下に挟み込まれることができる。腕用のフラップ１７０は、乳児の腕が腕用のポケット１６０から滑り出ることないように防止するのに役立つ。以下に論じられる図５および６は、腕用のポケットの実施形態をより詳細に図示する。
【００５３】
前述のように、おくるみ用ブランケットの１つの実施形態は、統合されたフード１６５を含むことができる。フード１６５は、乳児の頭部を覆って着用される、または乳児の頭部の背後に折り返されることができる。前述の図示される実施形態では、二次パネル１４０の内側縁の一部は、頭部部分および胴体部分が開放された開口部を形成するように成形されることができる。腕用のフラップ部分１７０を乳児の腕の下に挟み込むことは、内側縁を乳児の顔のより近くに引っ張るのに役立つことができる。縫い込まれたダーツ１６６は、乳児の頭部の周りにより優れた輪郭適合を提供することができる。統合されたフード１６５は、乳児の頭部からの熱損失を排除し、温もりを加え、従来のおくるみ用ブランケット設計と異なり、首筋における隙間を防止する。
【００５４】
おくるみ用ブランケットの実施形態は、健康な臀部位置決め装置を含み、乳児の臀部を健康な位置に促すことができる。例えば、おくるみ用ブランケット１００は、図１の下方位置に図示される臀部位置決めフラップ１２４を含んでもよい。臀部位置決めフラップ１２４が下方位置にあることによって、乳児は、おくるみ用ブランケット１００内に容易に位置決めされ得、おむつが、交換され得る、または同様なことが考えられる。臀部位置決めフラップ１２４は、乳児の膝を持ち上げて分離することによって、乳児の繊細かつ依然として形成中の軟股関節および骨盤を人間工学的位置に優しく位置決めし、支持するように構成されることができる。より自然な胎児の位置は、股関節形成不全を防止するのに役立つと考えられる。臀部位置決めフラップ１２４は、乳児が膝および臀部を曲げ、臀部が自然に収まる、または広がる（例えば、拡開蹲坐位置に）ことを可能にするように、大腿部を位置決めするために十分に広い。
【００５５】
いくつかの実施形態では、臀部位置決めフラップ１２４は、乳児の臀部が自然な拡開蹲坐位置に来るような位置に乳児の脚を促す。拡開蹲坐位置は、概して、膝の拡開および背骨の湾曲と連動し得る臀部の屈曲を指す。新生児の場合、膝の拡開は殆どまたは全くないことが望ましくあり得るが、背骨の湾曲および臀部の屈曲は、９０〜１２０度が望ましくあり得る。より成長した乳児の場合、臀部位置決めフラップ１２４は、少なくとも９０度、好ましくは、１２０度の臀部の屈曲を確実にし得、さらに、膝の拡開が、５５度、好ましくは、３５〜４０度（各脚）を超えないことを確実にし得、さらに、背中の丸まりを助長し得る。臀部位置決めフラップ１２４は、乳児の臀部を自然位置に促し得るが、乳児が、ある他の理由から伸びまたは移動をするとき、その脚を移動および伸展させないように防止しない。
【００５６】
臀部位置決めフラップ１２４の両側の輪郭が付けられた詰め物は、大腿上部に内側支持を与えることができるが、乳児が、ある程度の移動自由度を有し、脚が自然な胎児の位置に戻るように促すことを可能にする。特に、詰め物が増加しているエリア１７５は、乳児の大腿部に接触する臀部位置決めフラップ１２４の面積に置かれることができる。詰め物１７５はまた、乳児の脚が折れ曲がらないように防止するために使用されてもよい。
【００５７】
１つの実施形態によると、おくるみ用ブランケット１００は、乳児の尻が臀部部分１２２の一部上に静置するように成形される。臀部部分１２２は、乳児の臀部より広くなるように定寸されることができる。加えて、臀部位置決めフラップ１２４は、尻の下方の乳児の大腿部の裏に接触する、臀部位置決めフラップ１２４の一部に対して、乳児の臀部よりも広いままである。臀部位置決めフラップ１２４は、乳児の大腿部のさらに下方の面積において、乳児の臀部より狭くなるように内向きに先細になり、臀部位置決めフラップ１２４が乳児の脚間を通過することを可能にすることができる。好ましくは、臀部位置決めフラップ１２４は、乳児の脚間の距離が狭くなると（例えば、乳児がその脚を真っすぐにするため）、臀部位置決めフラップ１２４が乳児の大腿部を分離させるように促すように、乳児の大腿部が臀部位置決めフラップ１２４に圧接するように十分に広いままである。
【００５８】
臀部位置決めフラップ１２４は、臀部位置決めフラップ１２４が固定位置にあるとき、臀部位置決めフラップ１２４の端部部分をおくるみ用ブランケットに固定するための固定機構１８５を含んでもよい。１つの実施形態によると、臀部位置決めフラップ１２４は、第２の翼状部１１６の裏の面ファスナ固定機構１８７に固定する、面ファスナ固定機構１８５を含んでもよい。他の固定機構もまた、使用されてもよい。臀部位置決めフラップ１２４は、図示される実施形態では、乳児の胴体をおくるみから脱がさずに、固定解除されることができることに留意されたい。しかしながら、乳児の脚が露出されるときの臀部位置決めフラップ１２４の固定は、上部胴体のおくるみを係留し、乳児が移動する場合、おくるみ用ブランケットの上側部分が乳児の胴体にずり上がらないように防止するのに役立つ。
【００５９】
脚用の袋状部１８０が、主要パネルに継合されてもよく、乳児の脚および足のための付加的温もりを提供するために使用されることができる。１つの実施形態によると、脚用の袋状部１８０は、例えば、縫目線１９７に示されるように、主要パネル１１０に縫着または別様に継合されてもよい。脚用の袋状部１８０は、付加的温もりおよび脚の安定を提供する一方、脚移動の自由を可能にすることができる。しかしながら、１つの実施形態によると、脚用の袋状部１８０は、乳児の脚を支持する、または乳児の脚が任意の具体的位置に静置することを促すように設計されていない。代わりに、乳児の脚は、臀部位置決めフラップ１２４によって、自然な位置に向かって押勢される。伸縮素材開口部は、乳児の脚を内側に置くとき、世話を行う者が容易にアクセスすることを可能にすることができ、伸縮素材上部はまた、乳児の腹部を交差して優しく抱き込んでもよい。図示される実施形態では、乳児の脚は、臀部位置決めフラップ１２４を固定解除する、または乳児の腕上のおくるみを緩めることなく、袋状部１８０から取り出され得ることに留意されたい。したがって、乳児の脚は、臀部位置決め装置または乳児の腕のおくるみの完全性を損なうことなく、露出されることができる（例えば、快適性、軟膏の塗布、または他の目的のため）。
【００６０】
おくるみ用ブランケット１００は、乳児の頭部が頭部部分１１８上に静置し、乳児の臀部が臀部部分１２２上に静置するように定寸されることができる。乳児は、サイズがばらばらであるため、おくるみ用ブランケット１００は、平均サイズの乳児およびそれを中心とするサイズの範囲に適応するように定寸され得る。例えば、おくるみ用ブランケット１００は、身長５０パーセンタイル（および、ある身長の範囲、例えば、＋−１０％、２０％、３０％、４０％）内の生後１ヶ月齢児、身長５０パーセンタイル（および、ある身長の範囲、例えば、＋−１０％、２０％、３０％、４０％）内の生後２ヶ月齢児、身長５０パーセンタイル（および、ある身長の範囲、例えば、＋−１０％、２０％、３０％、４０％）内の生後３ヶ月齢児等に適応するように定寸されることができる。おくるみ用ブランケット１００は、可変サイズおよび年齢の乳児のために、ある範囲のサイズに適応することができるため、おくるみ用ブランケット１００は、ある年齢の範囲の乳児に適応するように定寸されてもよい。さらに、異なるサイズのおくるみ用ブランケット１００は、未熟児のためのより小型のおくるみ用ブランケット１００およびより大きい乳児のためのより大型のおくるみ用ブランケット１００を含む、異なるサイズ範囲内の乳児に対応するように適用されてもよい。例えば、いくつかの実施形態では、おくるみ用ブランケット１００は、３〜６ヶ月の子供のために定寸されてもよく、または２０〜３０ポンドの子供に対応するように定寸されてもよい。
【００６１】
図３は、臀部フラップ１２４が袋状部１８０を露顕させるために持ち上げられたおくるみ用ブランケット１００の正面図を図示する。袋状部１８０上に縫い込まれたダーツ１９０は、移動の自由を可能にする。袋状部１８０は、袋状部の上端に開口部１９５を有してもよい。開口部１９５は、伸縮素材１９８によって囲繞されてもよい。
【００６２】
図４は、おくるみ用ブランケット２００の１つの実施形態の正面図を描写する。図４に描写されるおくるみ用ブランケット２００は、他の実施形態と関連して前述のように、腕用のポケット２６０と、臀部位置決め装置２２４と、袋状部２８０とを含む、類似特徴を含むことができるが、統合されたフードは、提供されず、乳児の首は、襟面積２６２上に静置することができる。
【００６３】
図４に描写されるおくるみ用ブランケット２００等のいくつかの実施形態は、主要パネル２１０を含み、第１および第２の二次パネル２４０を含むことができる。主要パネル２１０および二次パネルはそれぞれ、材料の複数の部品から形成されてもよい。各二次パネル２４０の外側縁２４２の全部または一部は、主要パネルの外側縁にまたはそれに近接して、主要パネル２１０に継合され、腕用のポケット２６０の上縁を形成することができ、二次パネル２４０の内側縁２４４の一部は、主要パネル２１０に継合され、腕用のポケット２６０の底縁を形成することができる。付加的縫合は、腕用のポケットの上側縁を完成させることができる。例えば、単一連続縫目が、左および右腕用のポケットの上側縁を完成させるように、図４に示される。腕用のポケット２６０は、内側端（乳児の胴体により近い端部）上に開口部を有し、乳児の腕を受け取り、遠位側で閉鎖または開放することができる。
【００６４】
腕用のフラップ２７０が、腕用のポケットへの開口部に近接して提供されることができる。各腕用のフラップは、乳児の腕が腕用のフラップの裏面と主要パネルの正面との間を通過する第１の部分と、乳児の腕の一部の下に挟み込まれる腕用の巻き付き部分とを有してもよい。図示される実施形態では、腕用のフラップ２７０は、略下向きに、腕用のポケット開口部に近接するおくるみ用ブランケット２００の中線に向かって延びる。腕用のフラップ部分２７０は、腕用のポケット２６０内に未だ受け取られていない乳児の腕の上側部分の下に挟み込まれ得るように、十分な長さであることができる。１つの実施形態によると、各腕用のフラップは、中央および内側縁に沿って縫合されない、対応する二次パネル２４０の一部によって形成されることができる。
【００６５】
作業時、乳児の腕の一部は、腕用のポケット２６０内に受け取られ、その部分は、腕用のフラップ２７０と主要パネル２１０との間に静置するであろう。腕用のフラップ２７０の残りは、腕用のフラップ２７０が、少なくとも部分的に、乳児の腕の上側部分を包むように、乳児の腕の下に挟み込まれることができる。腕用のフラップ２７０は、乳児の腕が腕用のポケット２６０から滑り出ないように防止するのに役立つ。
【００６６】
乳児は、サイズがばらばらであるため、おくるみ用ブランケット２００は、平均サイズの乳児およびそれを中心とするサイズの範囲に適応するように定寸されることができる。例えば、おくるみ用ブランケット２００は、身長５０パーセンタイル（および、ある身長の範囲、例えば、＋−１０％、２０％、３０％、４０％以上または以下の身長）内の生後１ヶ月齢児、身長５０パーセンタイル（および、ある身長の範囲、例えば、＋−１０％、２０％、３０％、４０％以上または以下の身長）内の生後２ヶ月齢児、身長５０パーセンタイル（および、ある身長の範囲、例えば、＋−１０％、２０％、３０％、４０％以上または以下の身長）内の生後３ヶ月齢児等に適応するように定寸されることができる。おくるみ用ブランケット２００は、可変サイズおよび年齢の乳児のために、ある範囲のサイズに適応することができるため、おくるみ用ブランケット２００は、ある年齢の範囲の乳児に適応するように定寸されてもよい。さらに、異なるサイズのおくるみ用ブランケット２００は、未熟児のためのより小型のおくるみ用ブランケット２００およびより大きい乳児のためのより大型のおくるみ用ブランケット２００を含む、異なるサイズ範囲内の乳児に対応するように適用されてもよい。例えば、いくつかの実施形態では、おくるみ用ブランケット２００は、３〜６ヶ月の子供のために定寸されてもよく、または２０〜３０ポンドの子供に対応するように定寸されてもよい。
【００６７】
図５および６は、おくるみ用ブランケット２００の実施形態の図を描写し、腕用のポケット２６０および腕用のフラップ２７０が、種々の曲げられた腕位置に適応し得ることを図示する。図５および６に描写されるように、乳児は、おくるみ用ブランケット２００内に位置決めされてもよく、乳児の腕は、乳児の腕がある角度Θ（シータ）を有する状態で予備形成されたポケット２６０内に位置決めされてもよい。新生児の場合、シータは、９０度未満であり得る。より成長した乳児の場合、シータは、９０度を上回り得る。シータの選択は、乳児の年齢およびどの位置において乳児がより快適と感じるかに応じて、変動してもよい。腕用のフラップ２７０は、上腕の一部を含む乳児の腕の一部の周りに巻き付き、乳児の腕の下およびポケットの中に挟み込まれる、腕用の巻き付き部分を含むように提供される。各腕用のフラップ２７０は、優しい上向きかつ側方の力を乳児の上腕に印加し、曲げられた腕の位置において、乳児の腕を個別のポケット２６０内に維持する。当業者は、ポケットおよび腕用の巻き付き部分が、翼状部を伴う、または伴わないブランケットを含む、おくるみ用ブランケットの任意の好適な形状因子において組み込まれることができることを理解するであろう。一例として、限定ではないが、前述のようなポケットおよび腕用の巻き付き部分は、大型の長方形ブランケットまたは他の形状のブランケット上に組み込まれることができる。
【００６８】
さらに図６に図示されるように、臀部面積２２２は、乳児の臀部がブランケット上に静置する、乳児の臀部よりも広い部分２２６を有する。臀部位置決めフラップは、大腿部の一部に沿って、乳児の臀部よりも広いままである。臀部位置決めフラップは、次いで、乳児の臀部より若干狭くなるように先細になる。当業者は、臀部位置決め装置は、おくるみ用ブランケットの任意の好適な形状因子内に組み込まれることができることを理解するであろう。
【００６９】
おくるみ用ブランケットは、特定の寸法または寸法の範囲に限定されず、任意のサイズの着用児に適応するように定寸され得るが、図７は、おくるみ用ブランケット１００の１つの実施形態の正面図を描写し、乳児をくるむためのいくつかの例示的寸法（および、寸法の比率）を図示する。乳児の大腿部のための位置決めを提供する、おくるみ用ブランケット１００の部分の寸法は、ある年齢またはサイズの子供に適応するように変動してもよい。例えば、臀部面積１２２は、２４〜３５ｃｍであって、乳児の大腿部を位置決めする、または支持するための詰め物を有する臀部位置決めフラップ１２４へと先細になってもよい。１つの実施形態では、臀部位置決めフラップは、７〜１１ｃｍまで先細になり得るが、乳児の大腿部の裏を横断する臀部位置決めフラップ１２４の一部に対して、乳児の臀部より大きいままであろう。図示される実施形態では、例えば、詰め物の面積内の臀部フラップの幅は、幅約１９〜２５ｃｍから幅８〜１２ｃｍへと遷移してもよい。
【００７０】
図７に提供される寸法は、限定ではなく、一例として提供される。当業者は、例示的範囲を上回るまたは下回る寸法が、種々のサイズの乳児に適応するために使用されてもよく、必要に応じて、任意のサイズの着用児に適応するために十分に大きくまたは小さく作製されてもよいことを理解するであろう。例えば、いくつかの実施形態では、臀部面積１２２は、２４ｃｍ未満または３５ｃｍ超であってもよく、臀部位置決めフラップは、依然として、臀部位置決めを提供しながら、着用児に適応するために、７ｃｍ未満または１１ｃｍ超のサイズに先細になってもよい。さらに、おくるみ用ブランケットの他の側面も、種々のサイズの着用児に適応するように適切に定寸されてもよい。
【００７１】
図８は、腕用の袖３６０が縫着され、左および右腕用の翼状部３１４および３１６が略対称であって、全体的形状が「チョウ」形状に類似する、人間工学的おくるみ用ブランケット３００の１つの実施形態の正面図を描写する。本構成では、袖３６０は、乳児の腕を身体に対してある角度に維持することができ、二次パネル３４０の縁３４２は、乳児の腕が曲がらないように防止する。フード３６５は、ポケット３６０から別個に形成されてもよい。さらに、面ファスナ材料１１５が、翼状部３１４および３１６の片方または両方の長さに沿って延び、翼状部３１４および３１６を相互または主要パネル３１０に締結してもよい。臀部位置決めフラップ３２４は、乳児の脚間において、真下から折り畳まれ、主要パネル３１０にスナップ留めまたは別様に締結してもよい。
【００７２】
図９および１０は、腕用のポケット４６０が、主要パネル４１０に対する乳児の腕の移動を制限するように縫着され得る、人間工学的おくるみ用ブランケット４００の１つの実施形態の正面図を描写する。主要パネル４１０はまた、対称であって、さらに、「天使の翼」形状を有する、第１および第２の腕用の翼状部４１４および４１６とともに成形されてもよい。フード４６５は、ポケット４６０と別個に形成されてもよい。人間工学的おくるみ用ブランケット４００は、乳児の脚が単一袋状部内に含有されず、脚を分離する、レギンス４８０を含んでもよい。レギンス４８０の別個の脚は、だっこひもへの乳児の位置決めを容易にし得、乳児の脚を通してストラップを通過させることを可能にし、おむつ交換または同等のことを容易にし得る。
【００７３】
図１１は、おくるみ用ブランケットを乳児に装着するための１つの方法を図示する、一連の図を描写する。ステップ１では、乳児は、人間工学的おくるみ用ブランケット内に位置決めされる。乳児の位置決めは、乳児の臀部が、輪郭が付けられた着座面積、臀部位置決めフラップ、または同等物に対して位置決めされることを確実にすることを含んでもよい。ステップ２−４では、乳児の腕は、翼状部内の腕用のポケット内およびおくるみ用ブランケットの胴体部分に固定された翼状部内に位置決めされることができる。ステップ２−４に描写されるように、乳児の左腕は、右腕の前に固定される。しかしながら、いずれの腕が、最初に固定されてもよい。ステップ５では、臀部位置決めフラップが、乳児の脚間に前進され、おくるみ用ブランケットの胴体部分に取着されてもよい。随意に、ステップ６では、脚に温もりまたは保護を追加するために、乳児の脚が、脚用の袋状部内に封入されてもよい。
【００７４】
おくるみ用ブランケットが形成される材料は、乳児がその脚を伸ばすことができる一方、臀部位置決めフラップが、乳児の大腿部を曲げ臀部および膝位置に戻るように押勢するために十分な支持を提供するように、ある程度の伸縮性を有することができる。ブランケットは、軟質の柔軟性のあるブランケットであることができる。いくつかの実施形態では、ジャージニットは、おくるみ用ブランケット内の乳児にとって十分な快適性および伸縮性を提供する一方、依然として、乳児が安心かつ温もりを感じることを可能にし得る。他の材料として、綿（モスリンを含む）、フリース、およびスパンデックスが挙げられるが、それらに限定されない。編物および織物を含む、他の天然および合成繊維も可能性として考えられ得る。
【００７５】
本発明は、その具体的実施形態に関して説明されたが、これらの実施形態は、単に、例証であって、本発明の制限ではない。図示される実施形態の本明細書における説明は、包括的であること、または本発明を本明細書に開示される精密な形態に限定することを意図しない（および、特に、任意の特定の実施形態、寸法、特徴、または機能の包含は、発明の範囲をそのような実施形態、特徴、または機能に限定することを意図しない）。むしろ、説明は、当業者に、本発明を任意の特に説明される実施形態、特徴、または機能に限定せず、本発明を理解するための背景を提供するために、例証的実施形態、特徴、および機能を説明することを意図する。本発明の具体的実施形態およびその実施例は、例証目的のためだけに本明細書に説明されるが、種々の均等修正も、当業者が認識および理解するであろうように、本開示の精神および範囲内において可能である。示されるように、これらの修正は、図示される実施形態の前述の説明に照らして、本発明に行われてもよく、本発明の精神および範囲内に含まれるものとする。したがって、本発明は、その特定の実施形態を参照して、本明細書に説明されるが、様々な修正、種々の変更および代用が、前述の開示内で意図され、いくつかの事例では、記載されるような本発明の範囲および精神から逸脱することなく、本発明の実施形態のいくつかの特徴が、他の特徴の対応する使用を伴わずに、採用されるであろうことを理解されるであろう。したがって、多くの修正は、特定の状況または材料を本発明の本質的範囲および精神に適合させるために行われ得る。
【００７６】
本明細書全体を通しての「ｏｎｅ  ｅｍｂｏｄｉｍｅｎｔ（１つの実施形態）」、「ａｎ  ｅｍｂｏｄｉｍｅｎｔ（ある実施形態）」、または「ａ  ｓｐｅｃｉｆｉｃ  ｅｍｂｏｄｉｍｅｎｔ（具体的実施形態）」、あるいは類似専門用語の参照は、実施形態に関連して説明される特定の特徴、構造、または特性が、少なくとも、１つの実施形態に含まれ、必ずしも、全実施形態に存在しなくてもよいことを意味する。したがって、語句「ｉｎ  ｏｎｅ  ｅｍｂｏｄｉｍｅｎｔ（１つの実施形態では）」、「ｉｎ  ａｎ  ｅｍｂｏｄｉｍｅｎｔ（ある実施形態では）」、または「ｉｎ  ａ  ｓｐｅｃｉｆｉｃ  ｅｍｂｏｄｉｍｅｎｔ（具体的実施形態では）」、あるいは本明細書全体を通した種々の場所における類似専門用語の個別の表出は、必ずしも、同一の実施形態を参照するわけではない。さらに、任意の特定の実施形態の特定の特徴、構造、または特性は、任意の好適な様式において、１つ以上の他の実施形態と組み合わせられてもよい。本明細書に説明および図示される実施形態の他の変形例および修正も、本明細書の教示に照らして可能であって、本発明の精神および範囲の一部として見なされるべきであることを理解されたい。
【００７７】
さらに、本明細書で「随意」として特徴付けられる任意の特徴は、実施例として提供され、随意として特徴付けられない他の特徴が種々の実施形態でもまた随意ではないことを含意するように意図されるものではなく、かつそのように読まれるべきでもない。
【００７８】
本明細書の説明では、多数の具体的詳細が、構成要素および／または方法の実施例等、本発明の実施形態の完全理解を提供するために提供される。しかしながら、当業者は、実施形態が、具体的詳細のうちの１つ以上を伴わずに、あるいは他の装置、システム、アセンブリ、方法、構成要素、材料、部品、および／または同等物を伴って、実践可能であり得ることを認識するであろう。他の事例では、公知の構造、構成要素、システム、材料、または動作は、本発明の実施形態の側面を曖昧にすることを回避するために、具体的には、詳細に図示または説明されない。本発明は、特定の実施形態を使用することによって図示され得るが、これは、任意の特定の実施形態ではなく、本発明をそれに限定するわけでもなく、当業者は、付加的実施形態が、容易に理解可能であって、本発明の一部であることを認識するであろう。
例えば、本発明は以下の項目を提供する。
（項目１）
おくるみ用ブランケットであって、前記おくるみ用ブランケットは、
中央区画であって、胴体部分および臀部部分を有する、中央区画と、
前記中央区画から第１の方向に延びる第１の腕用の翼状部と、
前記中央区画から第２の方向に延びる第２の腕用の翼状部と、
乳児の大腿部を持ち上げて分離することによって、使用時、前記乳児を人間工学的位置に促すように構成された臀部位置決めフラップと、
脚用の袋状部と
を備える、おくるみ用ブランケット。
（項目２）
前記第１の腕用の翼状部および前記第２の腕用の翼状部は、非対称であり、かつ、相補的である、項目１に記載のおくるみ用ブランケット。
（項目３）
前記第１の腕用の翼状部は、前記乳児の周りに巻き付くように適合させられ、前記第２の腕用の翼状部は、前記第１の腕を覆って巻き付き、かつ、前記おくるみ用ブランケットに固定するように適合させられる、項目１に記載のおくるみ用ブランケット。
（項目４）
前記臀部位置決めフラップは、前記第２の腕用の翼状部を固定することから独立して、前記第２の腕用の翼状部の裏に固定するように適合させられる、項目３に記載のおくるみ用ブランケット。
（項目５）
前記脚用の袋状部は、腕のおくるみの完全性を低減することなく、前記乳児の脚が露出されることを可能にするように構成される、項目４に記載のおくるみ用ブランケット。
（項目６）
前記臀部位置決めフラップは、前記乳児の大腿部に沿った部分について、前記乳児の臀部よりも広い、項目１に記載のおくるみ用ブランケット。
（項目７）
前記臀部位置決めフラップは、詰め物が増加しているエリアを備える、項目６に記載のおくるみ用ブランケット。
（項目８）
前記詰め物が増加しているエリアは、第１の大腿部接触エリア内の前記臀部位置決めフラップの第１の縁における詰め物が増加している第１のエリアと、第２の大腿部接触エリア内の前記臀部位置決めフラップの第２の縁における詰め物が増加している第２のエリアとを備える、項目７に記載のおくるみ用ブランケット。
（項目９）
前記おくるみ用ブランケットは、
前記第１の翼状部上に配置された第１のポケットであって、前記第１のポケットは、前記第１のポケットの内側端に第１のポケット開口部を有し、前記第１のポケットは、第１の腕を受け取るように適合させられる、第１のポケットと、
前記第２の翼状部上に配置された第２のポケットであって、前記第２のポケットは、前記第２のポケットの内側端に第２のポケット開口部を有し、前記第２のポケットは、第２の腕を受け取るように適合させられる、第２のポケットと、
前記第１のポケット開口部に近接する第１の腕用のフラップであって、前記第１の腕用のフラップは、
第１の腕用のフラップの第１の部分であって、前記第１の腕用のフラップの第１の部分は、前記第１の腕が前記第１のポケット内に受け取られるとき、前記第１の腕が前記第１の腕用のフラップの第１の部分と前記第１の翼状部の正面との間を通過するように、前記第１の腕用の翼状部の前記正面に面した裏面を有する、第１の腕用のフラップの第１の部分と、
前記第１の部分から延びる第１の腕用の巻き付き部分であって、前記第１の腕用の巻き付き部分は、前記第１の腕が前記第１のポケット内に受け取られるとき、前記第１の腕の一部の下に挟み込むように適合させられる、第１の腕用の巻き付き部分と
をさらに備える、第１の腕用のフラップと、
前記第２のポケット開口部に近接する第２の腕用のフラップであって、前記第２の腕用のフラップは、
第２の腕用のフラップの第１の部分であって、前記第２の腕用のフラップの第１の部分は、前記第２の腕が前記第２のポケット内に受け取られるとき、前記第２の腕が前記第２の腕用のフラップの第１の部分と前記第２の翼状部の正面との間を通過するように、前記第２の腕用の翼状部の前記正面に面した裏面を有する、第２の腕用のフラップの第１の部分と、
前記第２の腕用のフラップの第１の部分から延びる第２の腕用の巻き付き部分であって、前記第２の腕用の巻き付き部分は、前記第２の腕が前記第２のポケット内に受け取られるとき、前記第２の腕の一部の下に挟み込むように適合させられる、第２の腕用の巻き付き部分と
を備える、第２の腕用のフラップと
をさらに備える、項目１に記載のおくるみ用ブランケット。
（項目１０）
おくるみ用ブランケットであって、前記おくるみ用ブランケットは、
乳児の胴体を受け取るための中央区画と、
前記中央区画から第１の方向に延びる第１の腕用の翼状部と、
前記中央区画から第２の方向に延びる第２の腕用の翼状部と、
前記第１の翼状部上に配置された第１のポケットであって、前記第１のポケットは、前記第１のポケットの内側端に第１のポケット開口部を有し、前記第１のポケットは、曲げられた腕の位置において、第１の腕を受け取るように適合させられる、第１のポケットと、
前記第２の翼状部上に配置された第２のポケットであって、前記第２のポケットは、前記第２のポケットの内側端に第２のポケット開口部を有し、前記第２のポケットは、曲げられた腕の位置において、第２の腕を受け取るように適合させられる、第２のポケットと、
前記第１のポケット開口部に近接する第１の腕用のフラップであって、前記第１の腕用のフラップは、
第１の腕用のフラップの第１の部分であって、前記第１の腕用のフラップの第１の部分は、前記第１の腕が前記第１のポケット内に受け取られるとき、前記第１の腕が前記第１の腕用のフラップの第１の部分と前記第１の翼状部の正面との間を通過するように、前記第１の腕用の翼状部の前記正面に面した裏面を有する、第１の腕用のフラップの第１の部分と、
前記第１の部分から延びる第１の腕用の巻き付き部分であって、前記第１の腕用の巻き付き部分は、前記第１の腕が前記第１のポケット内に受け取られるとき、前記第１の腕の一部の下に挟み込むように適合させられる、第１の腕用の巻き付き部分と
をさらに備える、第１の腕用のフラップと、
前記第２のポケット開口部に近接する第２の腕用のフラップであって、前記第２の腕用のフラップは、
第２の腕用のフラップの第１の部分であって、前記第２の腕用のフラップの第１の部分は、前記第２の腕が前記第２のポケット内に受け取られるとき、前記第２の腕が前記第２の腕用のフラップの第１の部分と前記第２の翼状部の正面との間を通過するように、前記第２の腕用の翼状部の前記正面に面した裏面を有する、第２の腕用のフラップの第１の部分と、
前記第２の腕用のフラップの第１の部分から延びる第２の腕用の巻き付き部分であって、前記第２の腕用の巻き付き部分は、前記第２の腕が前記第２のポケット内に受け取られるとき、前記第２の腕の一部の下に挟み込むように適合させられる、第２の腕用の巻き付き部分と
を備える、第２の腕用のフラップと
を備える、おくるみ用ブランケット。
（項目１１）
前記第１の腕用の翼状部は、前記乳児の周りに巻き付くように適合させられ、前記第２の腕用の翼状部は、前記第１の腕を覆って巻き付き、かつ、前記おくるみ用ブランケットに固定するように適合させられる、項目１０に記載のおくるみ用ブランケット。
（項目１２）
前記第２の腕用の翼状部は、前記第２の腕用の翼状部の先端に近接して位置する固定機構を備える、項目１０に記載のおくるみ用ブランケット。
（項目１３）
前記おくるみ用ブランケットは、
主要パネルと、
主要パネル正面に面した第１の二次パネル裏面を有する第１の二次パネルであって、前記第１の二次パネルは、前記主要パネルと協働して前記第１のポケットを形成する、第１の二次パネルと
をさらに備える、項目１０に記載のおくるみ用ブランケット。
（項目１４）
前記第１の二次パネルは、前記主要パネルと協働して前記第２のポケットを形成する、項目１３に記載のおくるみ用ブランケット。
（項目１５）
前記第１の腕用のフラップおよび前記第２の腕用のフラップは、前記第１の二次パネルの一部を備える、項目１４に記載のおくるみ用ブランケット。
（項目１６）
前記おくるみ用ブランケットは、第２の二次パネルをさらに備え、前記第２の二次パネルは、前記主要パネル正面に面した第２の二次パネル裏面を有し、前記第２の二次パネルは、前記主要パネルと協働して前記第２のポケットを形成する、項目１３に記載のおくるみ用ブランケット。
（項目１７）
前記第１の腕用のフラップは、前記第１の二次パネルの一部を備え、前記第２の腕用のフラップは、前記第２の二次パネルの一部を備える、項目１６に記載のおくるみ用ブランケット。
（項目１８）
乳児をくるむための方法であって、前記方法は、
前記乳児をおくるみ用ブランケットの中央区画に位置決めすることであって、前記乳児の臀部は、臀部部分に対して位置決めされ、前記おくるみ用ブランケットは、第１の腕用の翼状部および第２の腕用の翼状部を有し、前記第１の腕用の翼状部は、前記中央区画から第１の方向に延び、前記第２の腕用の翼状部は、前記中央区画から第２の方向に延びる、ことと、
前記乳児の周りに前記第１の腕用の翼状部および前記第２の腕用の翼状部を巻き付けることと、
前記腕用の翼状部のうちの少なくとも１つを固定することにより、前記乳児の腕をくるむことと、
前記乳児の脚を通して、臀部位置決めフラップを前進させることにより、前記乳児の脚を所望の位置に付勢することと、
前記乳児の腕がくるまれた後、前記臀部位置決めフラップを固定することにより、前記乳児の脚を位置決めすることと
を含む、方法。
（項目１９）
前記臀部位置決めフラップが固定された後、前記乳児の脚を袋状部で覆うことをさらに含む、項目１８に記載の方法。
（項目２０）
前記第１の腕用の翼状部および前記第２の腕用の翼状部を巻き付けることの前に、前記第１の腕用の翼状部のポケットの中に第１の腕を前進させ、前記第２の腕用の翼状部のポケットの中に第２の腕を前進させることをさらに含む、項目１８に記載の方法。
（項目２１）
前記第１の腕用の翼状部および前記第２の腕用の翼状部を巻き付けることの前に、前記第１の腕の一部を第１の腕用のフラップで包み、前記第２の腕の一部を第２の腕用のフラップで包むことをさらに含む、項目１８に記載の方法。
（項目２２）
上部胴体をくるむことから独立して、前記臀部位置決めフラップを固定解除することをさらに含む、項目１８に記載の方法。
（項目２３）
前記乳児の腕のおくるみから独立して、前記乳児の脚を露出させ、前記臀部位置決めフラップを固定解除することをさらに含む、項目１８に記載の方法。
【図１】
0006266604.tif 000002
【図２】
0006266604.tif 000003
【図３】
0006266604.tif 000004
【図４】
0006266604.tif 000005
【図５】
0006266604.tif 000006
【図６】
0006266604.tif 000007
【図７】
0006266604.tif 000008
【図８】
0006266604.tif 000009
【図９】
0006266604.tif 000010
【図１０】
0006266604.tif 000011
【図１１】
0006266604.tif 000012